(57)【要約】【課題】専用の配線を設けることなくスピーカ装置を設置する。【解決手段】スピーカ装置２０は、スピーカ２９及び電源プラグ２１が配設された筐体４０に、前記電源プラグ２１を介して駆動電力が入力される電源部２２と、前記電源プラグ２１を介して入力される、複数の音声信号が多重化された電力線搬送によるデジタル信号を受信する電力線搬送受信部２３と、前記音声信号の一つを指定するスイッチ２６と、  前記スイッチ２６で指定されている音声信号を前記スピーカ２９に出力する音声信号出力部２７と、が配設されてなる。【選択図】    図１
2006041997.tif 000002
【特許請求の範囲】
【請求項１】
スピーカ及び電源プラグが配設された筐体に、
前記電源プラグを介して駆動電力が入力される電源部と、
前記電源プラグを介して入力される、複数の音声信号が多重化された電力線搬送によるデジタル信号を受信する電力線搬送受信部と、
前記音声信号の一つを指定するスイッチと、
前記スイッチで指定されている音声信号を前記スピーカに出力する音声信号出力部と、
が配設されてなることを特徴とするスピーカ装置。
【請求項２】
請求項１に記載のスピーカ装置であって、
当該デジタル音声装置の識別子を記憶する識別子記憶部を備え、
前記音声信号出力部は、前記デジタル信号に付加されている送信先識別子と前記識別子記憶部に記憶されている識別子とが同じ場合のみ、前記音声信号を前記スピーカに出力すること、
を特徴とするスピーカ装置。
【請求項３】
請求項１に記載のスピーカ装置であって、
前記電力線搬送受信部は、音量を制御するための電力線搬送による音量制御情報を前記電源プラグを介して受信し、
前記音声信号出力部は、前記音量制御情報に基づき音量を調節して前記音声信号を前記スピーカに出力すること、
を特徴とするスピーカ装置。
【請求項４】
請求項１に記載のスピーカ装置であって、
前記デジタル信号にはステレオ音声の各チャンネルに対応した音声信号が多重化されており、
前記スイッチは、前記チャンネルの一つを指定すること、
を特徴とするスピーカ装置。
【請求項５】
請求項１に記載のスピーカ装置であって、
前記デジタル信号にはステレオ音声の左の音声信号と右の音声信号とが多重化されており、
前記スイッチは、前記左の音声信号または前記右の音声信号またはモノラル音声信号を指定するスイッチであり、
前記音声信号出力部は、前記スイッチでモノラル音声信号が指定されている場合は、前記左の音声信号および前記右の音声信号を合成して前記スピーカに出力すること、
を特徴とするスピーカ装置。
【請求項６】
請求項１に記載のスピーカ装置であって、
前記筐体は、前面パネルとこれに対向する背面パネルとを有し、
前記スピーカは、前記前面パネルに配設され、
前記電源プラグは、前記背面パネルから前記筐体の背面に突設させて配設されてなること、
を特徴とするスピーカ装置。
【請求項７】
スピーカ及び電源プラグが配設された筐体に、
前記電源プラグを介して駆動電力が入力される電源部と、
前記電源プラグを介して入力される、音声信号と前記音声信号を識別するための音声制御情報とで構成される電力線搬送によるデジタル信号を受信する電力線搬送受信部と、
前記音声信号を指定するスイッチと、
前記スイッチで指定されている音声信号を示す前記音声制御情報が設定されている前記音声信号を前記スピーカに出力する音声信号出力部と、
が配設されてなることを特徴とするスピーカ装置。
【請求項８】
請求項７に記載のスピーカ装置であって、
当該デジタル音声装置の識別子を記憶する識別子記憶部を備え、
前記音声信号出力部は、前記デジタル信号に付加されている送信先識別子と前記識別子記憶部に記憶されている識別子とが同じ場合のみ、前記音声信号を前記スピーカに出力すること、
を特徴とするスピーカ装置。
【請求項９】
請求項７に記載のスピーカ装置であって、
前記電力線搬送受信部は、音量を制御するための電力線搬送による音量制御情報を前記電源プラグを介して受信し、
前記音声信号出力部は、前記音量制御情報に基づき音量を調節して前記音声信号を前記スピーカに出力すること、
を特徴とするスピーカ装置。
【請求項１０】
請求項７に記載のスピーカ装置であって、
前記音声制御情報はステレオ音声の各チャンネルを識別するための情報であり、
前記スイッチは、前記チャンネルの一つを指定すること、
を特徴とするスピーカ装置。
【請求項１１】
請求項７に記載のスピーカ装置であって、
前記音声制御情報はステレオ音声の左の音声信号を示す情報または右の音声信号を示す情報であり、
前記スイッチは、前記左の音声信号または前記右の音声信号またはモノラル音声信号を指定するスイッチであり、
前記音声信号出力部は、前記スイッチでモノラル音声信号が指定されている場合は、前記左の音声信号および前記右の音声信号を合成して前記スピーカに出力すること、
を特徴とするスピーカ装置。
【請求項１２】
請求項７に記載のスピーカ装置であって、
前記筐体は、前面パネルとこれに対向する背面パネルとを有し、
前記スピーカは、前記前面パネルに配設され、
前記電源プラグは、前記背面パネルから前記筐体の背面に突設させて配設されてなること、
を特徴とするスピーカ装置。
【請求項１３】
電力線に接続される電源プラグと、
複数の音声信号が多重化されているデジタル信号を記憶するデジタル信号記憶部と、
前記デジタル信号記憶部に記憶されている前記デジタル信号を復号して前記音声信号を生成する音声信号復号部と、
前記音声信号復号部により生成された音声信号に、当該音声信号を識別するための音声制御情報を付加する制御情報付加部と、
前記音声制御情報が付加された前記音声信号を前記電源プラグを介して前記電力線に送出する電力線搬送送信部と、
を備えることを特徴とするデジタル音声再生装置。
【請求項１４】
請求項１３に記載のデジタル音声再生装置であって、
前記音声信号の送信先を指定するための送信先識別子を記憶する送信先識別子記憶部を備え、
前記制御情報付加部は、前記音声信号復号部により生成された前記音声信号に前記識別子記憶部に記憶されている前記送信先識別子を付加し、
前記電力線搬送送信部は、前記送信先識別子が付加された前記音声信号を前記電源プラグを介して前記電力線に送出すること、
を特徴とするデジタル音声再生装置。
【請求項１５】
電力線と接続されているデジタル音声再生装置およびスピーカ装置を含んで構成されるデジタル音声再生システムであって、
前記デジタル音声再生装置が、
前記電力線に接続される第一の電源プラグと、
複数の音声信号が多重化されているデジタル信号を記憶するデジタル信号記憶部と、
前記デジタル信号記憶部に記憶されている前記デジタル信号を前記第一の電源プラグを介して前記電力線に送出する電力線搬送送信部と、を備え、
前記スピーカ装置が、
スピーカ及び第二の電源プラグが配設された筐体に、
前記第二の電源プラグを介して駆動電力が入力される電源部と、
前記第二の電源プラグを介して入力される、前記デジタル信号を受信する電力線搬送受信部と、
前記音声信号の一つを指定するスイッチと、
前記スイッチで指定されている音声信号を前記スピーカに出力する音声信号出力部と、
が配設されてなること、
を特徴とするデジタル音声再生システム。
【請求項１６】
請求項１５に記載のデジタル音声再生システムであって、
前記デジタル音声再生装置が、前記デジタル信号の送信先を指定するための送信先識別子を記憶する送信先識別子記憶部と、前記送信先識別子記憶部に記憶されている前記送信先識別子を前記デジタル信号に付加する制御情報付加部と、を備え、
前記スピーカ装置が、当該デジタル音声装置の識別子を記憶する識別子記憶部を備え、
前記電力線搬送送信部は、前記送信先識別子が付加された前記デジタル信号を前記第一の電源プラグを介して前記電力線に送出し、
前記音声信号出力部は、前記デジタル信号に付加されている前記送信先識別子と前記識別子記憶部に記憶されている識別子とが同じ場合のみ、前記音声信号を前記スピーカに出力すること、
を特徴とするデジタル音声再生システム。
【請求項１７】
電力線と接続されているデジタル音声再生装置およびスピーカ装置を含んで構成されるデジタル音声再生システムであって、
前記デジタル音声再生装置が、
前記電力線に接続される第一の電源プラグと、
複数の音声信号が多重化されているデジタル信号を記憶するデジタル信号記憶部と、
前記デジタル信号記憶部に記憶されている前記デジタル信号を復号して前記音声信号を生成する音声信号復号部と、
前記音声信号復号部により生成された音声信号に、当該音声信号を識別するための音声制御情報を付加する制御情報付加部と、
前記音声制御情報が付加された前記音声信号を前記第一の電源プラグを介して前記電力線に送出する電力線搬送送信部と、を備え、
前記スピーカ装置が、
スピーカ及び第二の電源プラグが配設された筐体に、
前記第二の電源プラグを介して駆動電力が入力される電源部と、
前記第二の電源プラグを介して入力される、前記音声制御情報が付加された音声信号を受信する電力線搬送受信部と、
前記音声信号を指定するスイッチと、
前記スイッチで指定されている音声信号を示す前記音声制御情報が設定されている前記音声信号を前記スピーカに出力する音声信号出力部と、
が配設されてなること、
を特徴とするデジタル音声再生システム。
【請求項１８】
請求項１７に記載のデジタル音声再生システムであって、
前記デジタル音声再生装置が、前記音声信号の送信先を指定するための送信先識別子を記憶する送信先識別子記憶部を備え、
前記スピーカ装置が、当該デジタル音声装置の識別子を記憶する識別子記憶部を備え、
前記制御情報付加部は、前記音声信号復号部により生成された前記音声信号に前記識別子記憶部に記憶されている前記送信先識別子を付加し、
前記電力線搬送送信部は、前記送信先識別子が付加された前記音声信号を前記第一の電源プラグを介して前記電力線に送出し、
前記音声信号出力部は、前記音声信号に付加されている前記送信先識別子と前記識別子記憶部に記憶されている識別子とが同じ場合のみ、前記音声信号を前記スピーカに出力すること、
を特徴とするデジタル音声再生システム。
【発明の詳細な説明】
【技術分野】
【０００１】
この発明は、スピーカ装置、デジタル音声再生装置、及びデジタル音声再生システムに関し、専用の配線を設けることなくスピーカ装置を設置するための技術に関する。
【背景技術】
【０００２】
一般的に、ＣＤ等に記録されているデジタル信号を再生するオーディオシステムにおいては、再生装置とスピーカ装置とがスピーカ装置専用の配線で接続されている。そして、再生される音声を複数の部屋で聞く場合は、各部屋にスピーカ装置を設置し、スピーカ装置用の配線を各部屋のスピーカ装置まで敷設することが行われている。
【０００３】
複数の部屋にスピーカ装置を設置している場合において、そのうちの特定の部屋に設置されているスピーカ装置のみに音声を出力したいことがある。例えば、実際に使用されている部屋のみに音声を出力する場合や、会議中の部屋には音声を出力しない場合等である。特許文献１には、複数のスピーカ装置に音声を出力することが可能なオーディオシステムにおいて、音声を出力するスピーカ装置を選択するための切替装置が開示されている。
【特許文献１】特開２００２−３６９２７９号公報
【発明の開示】
【発明が解決しようとする課題】
【０００４】
しかし、スピーカ装置専用の配線を敷設する場合、スピーカ装置を増設するたびに配線の敷設作業が必要となる。また、スピーカ装置を所定の場所に据え置くためには、壁面へのネジの取り付けや、台座の設置等が必要となる。そのため、スピーカ装置を増設するたびに作業に要する手間およびコストが発生する。そして、各部屋の壁面や各部屋を繋ぐ廊下等に配線が敷設されることにより、部屋や廊下の外観を損なうこととなる。
【０００５】
特許文献１の切替装置においては、音声信号を無線でスピーカ装置に送信する手順も開示されているが、１つの部屋に設置される１セットのスピーカ装置ごとに無線の送信機を設ける必要がある。そのため、スピーカ装置の設置可能台数は、切替装置が備える送信機の数に限られてしまい、多数のスピーカ装置を設置する環境には適していない。
【０００６】
また、音声信号を無線で送信する場合、スピーカ装置の設置場所によっては音声信号を正常に受信できない場合がある。例えば、複数の作業室を備える工場や複数のフロアにまたがるショッピングセンター等は、鉄筋コンクリート構造で敷地面積が広いことが特徴である。このような環境において、免許が不要な出力が弱い無線を用いて全てのスピーカ装置に音声信号を送信することは困難である。
【０００７】
本発明はこのような課題に鑑みてなされたものであり、スピーカ装置を専用の配線を設けることなく設置することができる、スピーカ装置、デジタル音声再生装置、及びデジタル音声再生システムを提供することを目的とする。
【課題を解決するための手段】
【０００８】
上記目的を達成するための本発明のうち請求項１に記載の発明は、スピーカ装置であって、スピーカ及び電源プラグが配設された筐体に、前記電源プラグを介して駆動電力が入力される電源部と、前記電源プラグを介して入力される、複数の音声信号が多重化された電力線搬送によるデジタル信号を受信する電力線搬送受信部と、前記音声信号の一つを指定するスイッチと、前記スイッチで指定されている音声信号を前記スピーカに出力する音声信号出力部と、が配設されてなることとする。  
本発明によれば、例えば、デジタル信号を電力線に送出するデジタル音声再生装置が設置されている環境において、電力線が配線されているところにスピーカ装置を設置することにより、スピーカ装置専用の配線を行うことなく音声を再生することができる。
【０００９】
また、本発明のうち請求項２に記載の発明は、請求項１に記載のスピーカ装置であって、当該デジタル音声装置の識別子を記憶する識別子記憶部を備え、前記音声信号出力部は、前記デジタル信号に付加されている送信先識別子と前記識別子記憶部に記憶されている識別子とが同じ場合のみ、前記音声信号を前記スピーカに出力することとする。  
本発明によれば、電力線に複数のスピーカ装置が接続されている場合に、特定のスピーカ装置のみにおいて、音声を再生することが可能である。
【００１０】
また、本発明のうち請求項３に記載の発明は、請求項１に記載のスピーカ装置であって、前記電力線搬送受信部は、音量を制御するための電力線搬送による音量制御情報を前記電源プラグを介して受信し、前記音声信号出力部は、前記音量制御情報に基づき音量を調節して前記音声信号を前記スピーカに出力することとする。  
本発明によれば、例えば、電話機に着呼があった場合に音量を下げるための音量制御情報が電話機から電力線に送出されれば、電話機の着呼音や受話音等を聞き取りやすくすることができる。また、通話終了後に音量を上げるための音量制御情報が電話機から電力線に送出されれば、スピーカから出力される音声の音量を元に戻すことができる。
【００１１】
また、本発明のうち請求項４に記載の発明は、請求項１に記載のスピーカ装置であって、前記デジタル信号にはステレオ音声の各チャンネルに対応した音声信号が多重化されており、前記スイッチは、前記チャンネルの一つを指定することとする。  
本発明によれば、例えば、多チャンネルの音声信号が多重化されて放送されるデジタル音声放送のデジタル信号が電力線を介して送出される環境において、スイッチでチャンネルを指定することにより所望のチャンネルの音声をスピーカから出力することができる。
【００１２】
また、本発明のうち請求項５に記載の発明は、請求項１に記載のスピーカ装置であって、前記デジタル信号にはステレオ音声の左の音声信号と右の音声信号とが多重化されており、前記スイッチは、前記左の音声信号または前記右の音声信号またはモノラル音声信号を指定するスイッチであり、前記音声信号出力部は、前記スイッチでモノラル音声信号が指定されている場合は、前記左の音声信号および前記右の音声信号を合成して前記スピーカに出力することとする。  
本発明によれば、例えば、スピーカ装置を１つだけしか設置できない場合であっても、左右両方の音声を合わせたモノラル音声として聞くことができる。
【００１３】
また、本発明のうち請求項６に記載の発明は、請求項１に記載のスピーカ装置であって、前記筐体は、前面パネルとこれに対向する背面パネルとを有し、前記スピーカは、前記前面パネルに配設され、前記電源プラグは、前記背面パネルから前記筐体の背面に突設させて配設されてなることとする。  
本発明によれば、電源プラグをコンセントに差し込むことで、スピーカ装置を壁面等に容易に固定することができる。
【００１４】
また、本発明のうち請求項７に記載の発明は、スピーカ装置であって、スピーカ及び電源プラグが配設された筐体に、前記電源プラグを介して駆動電力が入力される電源部と、  前記電源プラグを介して入力される、音声信号と前記音声信号を識別するための音声制御情報とで構成される電力線搬送によるデジタル信号を受信する電力線搬送受信部と、前記音声信号を指定するスイッチと、前記スイッチで指定されている音声信号を示す前記音声制御情報が設定されている前記音声信号を前記スピーカに出力する音声信号出力部と、が配設されてなることとする。
【００１５】
また、本発明のうち請求項８に記載の発明は、請求項７に記載のスピーカ装置であって、当該デジタル音声装置の識別子を記憶する識別子記憶部を備え、前記音声信号出力部は、前記デジタル信号に付加されている送信先識別子と前記識別子記憶部に記憶されている識別子とが同じ場合のみ、前記音声信号を前記スピーカに出力することとする。
【００１６】
また、本発明のうち請求項９に記載の発明は、請求項７に記載のスピーカ装置であって、前記電力線搬送受信部は、音量を制御するための電力線搬送による音量制御情報を前記電源プラグを介して受信し、前記音声信号出力部は、前記音量制御情報に基づき音量を調節して前記音声信号を前記スピーカに出力することとする。
【００１７】
また、本発明のうち請求項１０に記載の発明は、請求項７に記載のスピーカ装置であって、前記音声制御情報はステレオ音声の各チャンネルを識別するための情報であり、前記スイッチは、前記チャンネルの一つを指定することとする。
【００１８】
また、本発明のうち請求項１１に記載の発明は、請求項７に記載のスピーカ装置であって、前記音声制御情報はステレオ音声の左の音声信号を示す情報または右の音声信号を示す情報であり、前記スイッチは、前記左の音声信号または前記右の音声信号またはモノラル音声信号を指定するスイッチであり、前記音声信号出力部は、前記スイッチでモノラル音声信号が指定されている場合は、前記左の音声信号および前記右の音声信号を合成して前記スピーカに出力することとする。
【００１９】
また、本発明のうち請求項１２に記載の発明は、請求項７に記載のスピーカ装置であって、前記筐体は、前面パネルとこれに対向する背面パネルとを有し、前記スピーカは、前記前面パネルに配設され、前記電源プラグは、前記背面パネルから前記筐体の背面に突設させて配設されてなることとする。
【００２０】
また、本発明のうち請求項１３に記載の発明は、デジタル音声再生装置であって、電力線に接続される電源プラグと、複数の音声信号が多重化されているデジタル信号を記憶するデジタル信号記憶部と、前記デジタル信号記憶部に記憶されている前記デジタル信号を復号して前記音声信号を生成する音声信号復号部と、前記音声信号復号部により生成された音声信号に、当該音声信号を識別するための音声制御情報を付加する制御情報付加部と、前記音声制御情報が付加された前記音声信号を前記電源プラグを介して前記電力線に送出する電力線搬送送信部と、を備えることとする。
【００２１】
また、本発明のうち請求項１４に記載の発明は、請求項１３に記載のデジタル音声再生装置であって、前記音声信号の送信先を指定するための送信先識別子を記憶する送信先識別子記憶部を備え、前記制御情報付加部は、前記音声信号復号部により生成された前記音声信号に前記識別子記憶部に記憶されている前記送信先識別子を付加し、前記電力線搬送送信部は、前記送信先識別子が付加された前記音声信号を前記電源プラグを介して前記電力線に送出することとする。
【００２２】
また、本発明のうち請求項１５に記載の発明は、電力線と接続されているデジタル音声再生装置およびスピーカ装置を含んで構成されるデジタル音声再生システムであって、前記デジタル音声再生装置が、前記電力線に接続される第一の電源プラグと、複数の音声信号が多重化されているデジタル信号を記憶するデジタル信号記憶部と、前記デジタル信号記憶部に記憶されている前記デジタル信号を前記第一の電源プラグを介して前記電力線に送出する電力線搬送送信部と、を備え、前記スピーカ装置が、スピーカ及び第二の電源プラグが配設された筐体に、前記第二の電源プラグを介して駆動電力が入力される電源部と、前記第二の電源プラグを介して入力される、前記デジタル信号を受信する電力線搬送受信部と、前記音声信号の一つを指定するスイッチと、前記スイッチで指定されている音声信号を前記スピーカに出力する音声信号出力部と、が配設されてなることとする。
【００２３】
また、本発明のうち請求項１６に記載の発明は、請求項１５に記載のデジタル音声再生システムであって、前記デジタル音声再生装置が、前記デジタル信号の送信先を指定するための送信先識別子を記憶する送信先識別子記憶部と、前記送信先識別子記憶部に記憶されている前記送信先識別子を前記デジタル信号に付加する制御情報付加部と、を備え、前記スピーカ装置が、当該デジタル音声装置の識別子を記憶する識別子記憶部を備え、前記電力線搬送送信部は、前記送信先識別子が付加された前記デジタル信号を前記第一の電源プラグを介して前記電力線に送出し、前記音声信号出力部は、前記デジタル信号に付加されている前記送信先識別子と前記識別子記憶部に記憶されている識別子とが同じ場合のみ、前記音声信号を前記スピーカに出力することとする。
【００２４】
また、本発明のうち請求項１７に記載の発明は、電力線と接続されているデジタル音声再生装置およびスピーカ装置を含んで構成されるデジタル音声再生システムであって、  前記デジタル音声再生装置が、前記電力線に接続される第一の電源プラグと、複数の音声信号が多重化されているデジタル信号を記憶するデジタル信号記憶部と、前記デジタル信号記憶部に記憶されている前記デジタル信号を復号して前記音声信号を生成する音声信号復号部と、前記音声信号復号部により生成された音声信号に、当該音声信号を識別するための音声制御情報を付加する制御情報付加部と、前記音声制御情報が付加された前記音声信号を前記第一の電源プラグを介して前記電力線に送出する電力線搬送送信部と、を備え、前記スピーカ装置が、スピーカ及び第二の電源プラグが配設された筐体に、前記第二の電源プラグを介して駆動電力が入力される電源部と、前記第二の電源プラグを介して入力される、前記音声制御情報が付加された音声信号を受信する電力線搬送受信部と、前記音声信号を指定するスイッチと、前記スイッチで指定されている音声信号を示す前記音声制御情報が設定されている前記音声信号を前記スピーカに出力する音声信号出力部と、が配設されてなることとする。
【００２５】
また、本発明のうち請求項１８に記載の発明は、請求項１７に記載のデジタル音声再生システムであって、前記デジタル音声再生装置が、前記音声信号の送信先を指定するための送信先識別子を記憶する送信先識別子記憶部を備え、前記スピーカ装置が、当該デジタル音声装置の識別子を記憶する識別子記憶部を備え、前記制御情報付加部は、前記音声信号復号部により生成された前記音声信号に前記識別子記憶部に記憶されている前記送信先識別子を付加し、前記電力線搬送送信部は、前記送信先識別子が付加された前記音声信号を前記第一の電源プラグを介して前記電力線に送出し、前記音声信号出力部は、前記音声信号に付加されている前記送信先識別子と前記識別子記憶部に記憶されている識別子とが同じ場合のみ、前記音声信号を前記スピーカに出力することとする。
【発明の効果】
【００２６】
本発明によれば、スピーカ装置を専用の配線を設けることなく設置することができる。
【発明を実施するための最良の形態】
【００２７】
＜＜第一の実施形態＞＞
＝＝全体構成＝＝
本発明の一実施の形態である第一の実施形態について説明する。図１は、本実施形態におけるデジタル音声再生装置１０およびスピーカ装置２０とで構成されるデジタル音声再生システムの構成を示す図である。
【００２８】
デジタル音声再生装置１０は、電源プラグ１１、電源部１２、デジタル信号記憶部１３、送信先識別子記憶部１４、制御情報付加部１５、電力線搬送送信部１６を備えている。  
電源プラグ１１は、コンセント（不図示）を介して電力線５０に接続されている。電源部１２は、デジタル音声再生装置１０を稼働させるための電力を電源プラグ１１を介して電力線５０から取得する。  
デジタル信号記憶部１３は、例えば、ＣＤ等の記録媒体から読み出したデジタル信号を記憶している。本実施形態におけるデジタル信号には、ステレオ音声の左音声信号と右音声信号とが多重化されている。なお、デジタル信号の読み出し元は、ＣＤ等の記録媒体に限らず、有線や無線で配信されるデジタル音声放送等であってもよい。  
送信先識別子記憶部１４には、デジタル信号の送信先であるスピーカ装置２０を識別するための送信先識別子が記憶されている。制御情報付加部１５は、デジタル信号記憶部１３に記憶されているデジタル信号に送信先識別子記憶部１４に記憶されている送信先識別子を付加したデジタル音声フレームを生成する。  
電力線搬送送信部１６は、制御情報付加部１５により生成されたデジタル音声フレームを電源プラグ１１を介して電力線５０に送出する。
【００２９】
スピーカ装置２０は、電源プラグ２１、電源部２２、電力線搬送受信部２３、識別子記憶部２４、識別子入力部２５、スイッチ２６、音声信号出力部２７、音量操作部２８、スピーカ２９を備えている。そして各部２１〜２７は筐体４０に配設されている。
【００３０】
電源プラグ２１は、コンセント（不図示）を介して電力線５０に接続されている。電源部２２は、スピーカ装置２０の駆動電力を電源プラグ２１を介して電力線５０から取得する。電力線搬送受信部２３は、デジタル音声再生装置１０が送出したデジタル音声フレームを電源プラグ２１を介して電力線５０から取得する。  
識別子記憶部２４には、スピーカ装置２０を識別するための識別子が記憶されている。識別子記憶部２４に記憶される識別子は、識別子入力部２５から入力される。なお、スピーカ装置２０の製造時や出荷時等に、識別子が識別子記憶部２４に設定されることとしてもよい。また、複数のスピーカ装置２０をいくつかのグループに分割し、そのグループ内のスピーカ装置２０には同じ識別子が設定されることとしてもよい。  
スイッチ２６は、出力する音声を指定するための装置である。本実施形態におけるスイッチ２６では、左音声信号または右音声信号または左音声信号と右音声信号とを合成したモノラル音声信号を指定することができる。  
音声信号出力部２７は、スイッチ２６で指定された音声信号をスピーカ２９から出力するための装置である。音声信号出力部２７は、制御部３０、音声信号復号部３１、出漁ｋ音声選択部３２、Ｄ／Ａコンバータ３３，３４、合成部３５、アンプ３６、音量調節部３７を備えている。
【００３１】
制御部３０は、スピーカ装置２０の制御を司るものであり、例えば、マイクロコンピュータ等により実現される。制御部３０は、電力線搬送受信部２３が受信したデジタル音声フレームに付加されている送信先識別子と識別子記憶部２４に記憶されている識別子とを比較する。そして、制御部３０は、送信先識別子と識別子記憶部２４に記憶されている識別子とが同じ場合のみ、デジタル音声フレームに含まれるデジタル信号を音声信号復号部２８に送信する。また、制御部３０は、スイッチ２６で指定されている情報を出力音声選択部３２に送信する。
【００３２】
音声信号復号部２８は、制御部３０を介して受信するデジタル信号を復号して左音声信号および右音声信号を生成する。出力音声選択部３２は、音声信号復号部２８により生成された左音声信号および右音声信号をスイッチ２６の指定に基づいて選択してＤ／Ａコンバータ３３，３４に出力する。スイッチ２６で左音声信号が指定されている場合、出力音声選択部３２は、音声信号復号部２８から受信する音声信号のうちの左音声信号のみを選択してＤ／Ａコンバータ３３に出力する。また、スイッチ２６で右音声信号が指定されている場合、出力音声選択部３２は、音声信号復号部２８から受信する音声信号のうちの右音声信号のみを選択してＤ／Ａコンバータ３４に出力する。そして、スイッチ２６でモノラル音声が指定されている場合、出力音声選択部３２は、音声信号復号部２８から受信する左音声信号をＤ／Ａコンバータ３３に出力し、右音声信号をＤ／Ａコンバータ３４に出力する。
【００３３】
Ｄ／Ａコンバータ３３，３４は、デジタル信号をアナログ音声信号に変換する回路である。Ｄ／Ａコンバータ３３には左音声信号、Ｄ／Ａコンバータ３４には右音声信号が入力される。合成部３５は、Ｄ／Ａコンバータ３３およびＤ／Ａコンバータ３４から出力されるアナログ音声信号を合成する回路である。スイッチ２６でモノラル音声信号が指定された場合、出力音声選択部３２からは左音声信号および右音声信号の両方が出力され、左音声信号および右音声信号のアナログ音声信号は合成部３５で合成されてモノラル音声信号が出力される。スイッチ２６で左音声信号または右音声信号が指定された場合は、合成部３５の出力はスイッチ２６で指定された音声信号のアナログ音声信号となる。
【００３４】
アンプ３６は、アナログ音声信号を音調調節部３７で指定される音量に増幅する回路である。音調調節部３７は、スピーカ２９から出力される音量を調節する回路である。音調調節部３７の制御は、出力する音量を入力することができる音量操作部２８または制御部３０から行われる。アンプ３６で増幅されたアナログ音声信号は、スピーカ２９から音声として出力される。
【００３５】
＝＝スピーカ装置の外観＝＝
図２は、スピーカ装置２０を筐体４０の前面から見た図である。筐体４０は、前面パネル４１および前面パネル４１と対向する背面パネル４２を有している。筐体４０の前面パネル４１には、識別子入力部２５、スイッチ２６、音量操作部２８が設けられている。また、スピーカ２９は、振動板が筐体４０の前面に埋め込まれるように設置されている。
【００３６】
識別子入力部２５は、例えば、図２に示すようなディップスイッチとして実現することができる。識別子入力部２５はディップスイッチに限らず、予め定められた番号や文字等を選択することができる装置等であってもよい。  
スイッチ２６は出力する音声を指定するための３つのボタン４３，４４，４５を備えている。ボタン４３は左音声信号を指定するボタン、ボタン４４は右音声信号を指定するボタン、ボタン４５はモノラル音声信号を指定するボタンである。３つのボタン４３，４４，４５は、何れか一つのみ押下可能となっている。図２は、ボタン４５が押下され、モノラル音声信号が指定されている状態を示している。なお、スイッチ２６はボタンにより構成されるものに限られず、例えば、棒状のレバーを操作することにより出力する音声信号を指定することが可能な装置であってもよい。  
音量操作部２８は、左右に回転させることで音量の大小を調節することが可能なつまみである。
【００３７】
図３は、スピーカ装置２０を筐体４０の背面から見た図である。筐体４０の背面パネル４２からは、電源プラグ２１が突出している。電源プラグ２１を差し込むコンセントは、壁面に設けられていることが多い。そのため、電源プラグ２１が筐体４０から突出するように配設されていることにより、電源プラグ２１をコンセントに差し込めば、スピーカ装置２０を壁面に固定することが可能である。つまり、スピーカ装置２０を固定するための金具等を用いることなく、容易にスピーカ装置２０を設置することができる。また、スピーカ装置２０とコンセントとの間に電源ケーブルが無いため、すっきりとした外観を得ることができる。
【００３８】
＝＝音声再生処理＝＝
本実施形態のデジタル音声再生システムにおける、音声再生処理について説明する。図４は、音声再生処理を示すフローチャートである。まず、デジタル音声再生装置１０の制御情報付加部１５は、デジタル信号記憶部１３に記憶されているデジタル信号に送信先識別子記憶部１４に記憶されている送信先識別子を付加したデジタル音声フレーム６０（図５）を生成する（Ｓ４０１）。次に、電力線搬送送信部１６が、当該デジタル音声フレーム６０を電源プラグ１１を介して電力線５０に送出する（Ｓ４０２）。  
そして、デジタル音声再生装置２０の電力線搬送受信部２３は、電源プラグ２１を介して当該デジタル音声フレーム６０を受信する（Ｓ４０３）。制御部３０は、デジタル音声フレーム６０に付加されている送信先識別子と識別子記憶部２４に記憶されている識別子とが同じであるかどうか確認する（Ｓ４０４）。  
送信先識別子と識別子記憶部２４に記憶されている識別子とが異なる場合、制御部３０は当該デジタル音声フレーム６０を出力せず、処理を終了する。つまりこの場合、スピーカ装置２０からは音声が出力されないこととなる。  
送信先識別子と識別子記憶部２４に記憶されている識別子とが同じ場合、制御部３０は当該デジタル音声フレーム６０に含まれるデジタル信号を音声信号復号部２８に出力する。そして、音声信号復号部２８は、当該デジタル信号を復号して左音声信号および右音声信号を生成する（Ｓ４０５）。
【００３９】
出力音声選択部３２は、スイッチ２６で指定されている情報を制御部３０を介して受信している。そして、出力音声選択部３２は、音声信号復号部２８で生成された音声信号を当該情報に基づいて選択する（Ｓ４０６）。つまり、スイッチ２６で左音声信号が指定されている場合は、出力音声選択部３２は音声信号復号部２８で生成された左音声信号および右音声信号のうちの左音声信号を選択してＤ／Ａコンバータ３３に出力する。同様に、スイッチ２６で右音声信号が指定されている場合は、出力音声選択部３２は右音声信号を選択してＤ／Ａコンバータ３４に出力する。また、スイッチ２６でモノラル音声信号が指定されている場合は、出力音声選択部３２は左音声信号をＤ／Ａコンバータ３３に、右音声信号をＤ／Ａコンバータ３４に出力する。
【００４０】
Ｄ／Ａコンバータ３３，３４は、出力音声選択部３２から出力されたデジタル信号をアナログ音声信号に変換する（Ｓ４０７）。そして、合成部３５は、Ｄ／Ａコンバータ３３，３４から出力されたアナログ音声信号を合成する（Ｓ４０８）。つまり、出力音声選択部３２から左右両方の音声信号が出力された場合、合成部３５からは左音声信号と右音声信号とが合成されたモノラル音声信号が出力されることとなる。
【００４１】
アンプ３６は、合成部３５から出力されたアナログ音声信号を音調調節部３７で指定される音量に増幅する（Ｓ４０９）。そして、アンプ３６で増幅されたアナログ音声信号は、スピーカ２９から音声として出力される（Ｓ４１０）。
【００４２】
＝＝音量制御処理＝＝
次に、本実施形態のデジタル音声再生システムにおける、音量制御処理について説明する。図６は、音量制御処理を示すフローチャートである。まず、スピーカ装置２０の電力線搬送受信部２３は、送信先識別子と音量制御情報とが設定されている音量制御フレーム６１（図７）を受信する（Ｓ６０１）。音量制御情報には、スピーカ２９から出力する音声の音量を示す情報が設定されている。音量制御フレーム６１は、電力線５０に接続されている機器から送信されるものである。このような機器としては、例えば、電話機やインターホン等が挙げられる。電話機の場合、例えば、電話機に着呼があった場合に、音量を下げる音量制御情報が設定された音量制御フレーム６１が送信される。
【００４３】
制御部３０は、音量制御フレーム６１に付加されている送信先識別子と識別子記憶部２４に記憶されている識別子とが同じであるかどうか確認する（Ｓ６０２）。  
送信先識別子と識別子記憶部２４に記憶されている識別子とが異なる場合、制御部３０は音量制御情報を音調調節部３７に出力せずに処理を終了する。送信先識別子と識別子記憶部２４に記憶されている識別子とが同じ場合、制御部３０は音量制御フレーム６１に設定されている音量制御情報を音調調節部３７に出力する。そして、音調調節部３７は、音量制御情報に基づきアンプ３６で増幅される音量を調節する（Ｓ６０３）。
【００４４】
以上、第一の実施形態について説明した。本実施形態によれば、スピーカ装置２０専用の配線を行うことなく、デジタル信号記憶部１３に記憶されているデジタル信号を再生してスピーカ２９から出力することができる。そのため、スピーカ装置２０が設置されている各部屋の壁面や各部屋を繋ぐ廊下等に配線が敷設されないため、外観を損なうことがない。さらに、配線の敷設に伴う作業の手間およびコストを削減することができる。また、通信線として電力線５０を用いることで、無線の電波が届きにくい鉄筋コンクリート構造の建物や敷地面積が広い建物においても、デジタル信号をスピーカ装置２０に送信することが可能である。また、無線の場合と異なり、スピーカ装置２０ごとに送信機を設ける必要がないため、複数のスピーカ装置２０を容易に設置することが可能である。
【００４５】
また、電力線５０に複数のスピーカ装置２０が接続されている場合に、デジタル音声フレーム６０の送信先識別子を設定することにより、音声が出力されるスピーカ装置２０を限定することが可能である。これにより、例えば、会議中の部屋に設置されているスピーカ装置２０には音声を出力しないことや、使用中の部屋に設置されているスピーカ装置２０のみに音声を出力すること等の制御が可能となる。
【００４６】
また、例えば、電話機に着呼があった場合に音量を下げるための音量制御情報が電話機から電力線５０に送出されれば、電話機の着呼音や受話音等を聞き取りやすくすることができる。また、通話終了後に音量を上げるための音量制御情報が電話機から電力線５０に送出されれば、スピーカ２９から出力される音声の音量を元に戻すことができる。
【００４７】
また、例えば、スピーカ装置２０を１つだけしか設置できない場合であっても、左右両方の音声を合わせたモノラル音声を聞くことができる。
【００４８】
また、電源プラグ２１が筐体４０の背面から突出するように配設されているため、電源プラグ２１をコンセントに差し込むことで、コンセントが設けられている壁面等にスピーカ装置２０を容易に固定することができる。そのため、電源ケーブルも含めて一切の配線を必要とせず、壁面へのネジの取り付けや台座の設置等も不要である。つまり、すっきりとした外観を得ることができるとともに、スピーカ装置２０の設置作業にかかる手間およびコストを削減することができる。なお、電源プラグ２１がコンセントに差し込むことが可能なように筐体４０から突出して配設されていれば、筐体４０の形状は直方体に限らずどのような形状であってもよい。
【００４９】
＜＜第二の実施形態＞＞
次に、本発明の一実施の形態である第二の実施形態について説明する。図８は、本実施形態におけるデジタル音声再生装置１０およびスピーカ装置２０とで構成されるデジタル音声再生システムの構成を示す図である。  
本実施形態においては、第一の実施形態においてスピーカ装置２０が備えていた音声信号出力部２７の音声信号復号部２８をデジタル音声再生装置１０が備えている。それ以外の構成および外観については、第一の実施形態と同様である。  
本実施形態では、デジタル信号から左音声信号および右音声信号を生成する復号処理はデジタル音声再生装置１０にて行われる。そして、スピーカ装置２０は、デジタル音声再生装置１０から左音声信号と右音声信号とを受信し、スイッチ２６で指定される音声信号をスピーカ２９から出力する。
【００５０】
＝＝音声再生処理＝＝
本実施形態のデジタル音声再生システムにおける、音声再生処理について説明する。図９は、音声再生処理を示すフローチャートである。まず、デジタル音声再生装置１０の音声信号復号部２８は、デジタル信号記憶部１３に記憶されているデジタル信号を復号して左音声信号および右音声信号を生成する（Ｓ９０１）。
【００５１】
次に、制御情報付加部１５は、音声信号復号部２８で生成された音声信号に、当該音声信号が左音声信号であるか右音声信号であるかを示す音声制御情報を付加し（Ｓ９０２）、さらに送信先識別子記憶部１４に記憶されている送信先識別子を付加する（Ｓ９０３）。図１０は、このようにして生成されるデジタル音声フレーム７０を示す図である。そして、電力線搬送送信部１６が、当該デジタル音声フレーム７０を電源プラグ１１を介して電力線５０に送出する（Ｓ９０４）。  
デジタル音声再生装置２０の電力線搬送受信部２３は、電源プラグ２１を介して当該デジタル音声フレーム７０を受信する（Ｓ９０５）。制御部３０は、デジタル音声フレーム７０に付加されている送信先識別子と識別子記憶部２４に記憶されている識別子とが同じであるかどうか確認する（Ｓ９０６）。  
送信先識別子と識別子記憶部２４に記憶されている識別子とが異なる場合、制御部３０は当該デジタル音声フレーム７０を出力せず、処理を終了する。つまりこの場合、スピーカ装置２０からは音声が出力されないこととなる。
【００５２】
送信先識別子と識別子記憶部２４に記憶されている識別子とが同じ場合、制御部３０は当該デジタル音声フレーム７０に含まれる音声制御情報および音声信号を出力音声選択部３２に出力する。そして、出力音声選択部３２は、スイッチ２６で指定されている情報および制御部３０から出力された音声制御情報に基づいて音声信号を選択する（Ｓ９０７）。つまり、スイッチ２６で左音声信号が指定されている場合は、出力音声選択部３２は音声制御情報に左音声信号であることを示す情報が設定されている音声信号をＤ／Ａコンバータ３３に出力する。同様に、スイッチ２６で右音声信号が指定されている場合は、出力音声選択部３２は音声制御情報に右音声信号であることを示す情報が設定されている音声信号をＤ／Ａコンバータ３４に出力する。また、スイッチ２６でモノラル音声信号が指定されている場合は、出力音声選択部３２は音声制御情報に左音声信号であることを示す情報が設定されている音声信号をＤ／Ａコンバータ３３に、音声制御情報に右音声信号であることを示す情報が設定されている音声信号をＤ／Ａコンバータ３４に出力する。
【００５３】
Ｄ／Ａコンバータ３３，３４は、出力音声選択部３２から出力された音声信号をアナログ音声信号に変換する（Ｓ９０８）。そして、合成部３５は、Ｄ／Ａコンバータ３３，３４から出力されたアナログ音声信号を合成する（Ｓ９０９）。つまり、出力音声選択部３２から左右両方の音声信号が出力された場合、合成部３５からは左音声信号と右音声信号とが合成されたモノラル音声信号が出力されることとなる。
【００５４】
アンプ３６は、合成部３５から出力されたアナログ音声信号を音調調節部３７で指定される音量に増幅する（Ｓ９１０）。そして、アンプ３６で増幅されたアナログ音声信号は、スピーカ２９から音声として出力される（Ｓ９１１）。
【００５５】
以上、第二の実施形態について説明した。本実施形態によれば、デジタル信号から左音声信号および右音声信号を生成する復号処理をデジタル音声再生装置１０で行う場合において、第一の実施形態と同様の効果を得ることができる。
【００５６】
以上本発明の一実施形態である第一の実施形態および第二の実施形態について説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【００５７】
例えば、本実施形態においては、デジタル信号記憶部１３に記憶されているデジタル信号にはステレオ音声の左音声信号と右音声信号とが多重化されていることとしたが、多重化されている音声信号はこれに限られず、デジタル音声放送にて配信される多チャンネルの音声信号が多重化されていることとしてもよい。この場合、スイッチ２６でチャンネルを指定することにより、多重化されたデジタル音声放送のうちの所望のチャンネルの音声をスピーカ２９から出力することが可能である。
【図面の簡単な説明】
【００５８】
【図１】本発明の一実施形態である第一の実施形態におけるデジタル音声再生システムの構成を示す図である。
【図２】第一の実施形態におけるスピーカ装置を筐体の前面から見た図である。
【図３】第一の実施形態におけるスピーカ装置を筐体の背面から見た図である。
【図４】第一の実施形態における音声再生処理を示すフローチャートである。
【図５】第一の実施形態におけるデジタル音声フレームを示す図である。
【図６】第一の実施形態における音量制御処理を示すフローチャートである。
【図７】第一の実施形態における音量制御フレームを示す図である。
【図８】本発明の一実施形態である第二の実施形態におけるデジタル音声再生システムの構成を示す図である。
【図９】第二の実施形態における音声再生処理を示すフローチャートである。
【図１０】第二の実施形態におけるデジタル音声フレームを示す図である。
【符号の説明】
【００５９】
１０  デジタル音声再生装置              １１  電源プラグ
１２  電源部                            １３  デジタル信号記憶部
１４  送信先識別子記憶部                １５  制御情報付加部
１６  電力線搬送送信部                  ２０  スピーカ装置
２１  電源プラグ                        ２２  電源部
２３  電力線搬送受信部                  ２４  識別子記憶部
２５  識別子入力部                      ２６  スイッチ
２７  音声信号出力部                    ２８  音量操作部
２９  スピーカ                          ３０  制御部
３１  音声信号復号部                    ３２  出力音声選択部
３３，３４  Ｄ／Ａコンバータ            ３５  合成部
３６  アンプ                            ３７  音量調節部
【図１】
2006041997.tif 000003
【図２】
2006041997.tif 000004
【図３】
2006041997.tif 000005
【図４】
2006041997.tif 000006
【図５】
2006041997.tif 000007
【図６】
2006041997.tif 000008
【図７】
2006041997.tif 000009
【図８】
2006041997.tif 000010
【図９】
2006041997.tif 000011
【図１０】
2006041997.tif 000012